(57)【要約】【課題】予め設定した判定基準に従って図書入力から試験実施範囲を自動的に抽出する。【解決手段】実施形態の試験実施範囲抽出装置１ａは、入力した図書５１からロジック構成要素を抽出する図書入力部１１と、ポイント付与判定基準ＤＢ１４に基づいて抽出されたロジック構成要素にポイントを付与して試験対象ごとに合計ポイントを算出するポイント付与部１３と、試験範囲判定基準ＤＢ１８に基づいて試験対象ごとの合計ポイントに応じて抽出試験範囲５２を抽出する試験範囲抽出部１７とを備える。【選択図】図１
2015036823.tif 000002
【特許請求の範囲】
【請求項１】
試験対象のロジックを示す図書を入力し、当該入力した図書から前記ロジックを構成するロジック構成要素を抽出する図書入力部と、
前記ロジック構成要素ごとに付与するポイントの指標が予め設定されたポイント付与判定基準に基づいて、抽出された前記ロジック構成要素にポイントを付与し、当該付与したポイントを前記試験対象ごとに合計して合計ポイントを算出するポイント付与部と、
予め試験判定要素により条件付けられた試験範囲判定基準に基づき、前記試験対象ごとの前記合計ポイントに応じて試験実施範囲を抽出する試験範囲抽出部と、を備える
ことを特徴とする試験実施範囲抽出装置。
【請求項２】
試験対象のロジックを示す図書を入力し、当該入力した図書から前記ロジックを構成するロジック構成要素を抽出する図書入力部と、
前記試験対象についての重要度の指標が予め設定された重要度付与判定基準に基づいて、抽出された前記ロジック構成要素のうちの前記重要度の指標に該当するものに重みポイントを付与し、当該付与した重みポイントを前記試験対象ごとに合計して合計ポイントを算出する重要度付与部と、
予め試験判定要素により条件付けられた試験範囲判定基準に基づき、前記試験対象ごとの前記合計ポイントに応じて試験実施範囲を抽出する試験範囲抽出部と、を備える
ことを特徴とする試験実施範囲抽出装置。
【請求項３】
試験対象のロジックを示す図書を入力し、当該入力した図書から前記ロジックを構成するロジック構成要素を抽出する図書入力部と、
前記ロジック構成要素ごとに付与するポイントの指標が予め設定されたポイント付与判定基準に基づいて、抽出された前記ロジック構成要素にポイントを付与し、当該付与したポイントを前記試験対象ごとに合計して小計ポイントを算出するポイント付与部と、
前記試験対象についての重要度の指標が予め設定された重要度付与判定基準に基づいて、抽出された前記ロジック構成要素のうちの前記重要度の指標に該当するものに重みポイントを付与し、当該付与した重みポイントを前記小計ポイントに所定の算術を施して前記試験対象ごとに合計して合計ポイントを算出する重要度付与部と、
予め試験判定要素により条件付けられた試験範囲判定基準に基づき、前記試験対象ごとの前記合計ポイントに応じて試験実施範囲を抽出する試験範囲抽出部と、を備える
ことを特徴とする試験実施範囲抽出装置。
【請求項４】
前記図書入力部から前記ロジック構成要素を入力し、入力した前記ロジック構成要素から信号経路を抽出する信号経路抽出部をさらに備え、
前記ポイント付与部は、前記信号経路抽出部から前記ロジック構成要素と共に前記信号経路に関する情報を受けて、前記試験対象として前記信号経路ごとに前記付与したポイントを合計して算出可能であり、
前記試験範囲抽出部は、前記信号経路ごとに前記合計ポイントが算出された場合に、前記信号経路ごとの前記合計ポイントに応じて前記試験実施範囲を抽出する
ことを特徴とする請求項１または請求項３に記載の試験実施範囲抽出装置。
【請求項５】
前記ポイント付与部は、前記信号経路ごとに前記合計ポイントを算出する際に、一つの前記信号経路と他の前記信号経路とがいずれかの信号を取り合う場合には一つの前記信号経路と他の前記信号経路とを含めて付与したポイントを合計して一つの前記信号経路の前記合計ポイントとして算出する
ことを特徴とする請求項４に記載の試験実施範囲抽出装置。
【請求項６】
前記試験対象の前記ロジック構成要素の遷移状態を指定した試験遷移状態に関する情報を入力する試験条件設定部と、
前記試験条件設定部により前記試験対象の前記ロジック構成要素のいずれかを特定の前記遷移状態に設定する場合に、前記試験遷移状態に応じた他の前記ロジック構成要素の前記遷移状態を特定し、抽出された前記試験実施範囲に含まれる前記ロジック構成要素の前記遷移状態を抽出する試験条件抽出部と、をさらに備える
ことを特徴とする請求項４に記載の試験実施範囲抽出装置。
【請求項７】
試験対象のロジックを示す図書を入力して試験実施範囲を抽出する試験実施範囲抽出装置に用いられる試験実施範囲抽出方法であって、
前記試験実施範囲抽出装置が、入力した前記図書から前記ロジックを構成するロジック構成要素を抽出する図書入力ステップと、
前記試験実施範囲抽出装置が、前記ロジック構成要素ごとに付与するポイントの指標が予め設定されたポイント付与判定基準に基づいて、抽出された前記ロジック構成要素にポイントを付与し、当該付与したポイントを前記試験対象ごとに合計して合計ポイントを算出するポイント付与ステップと、
前記試験実施範囲抽出装置が、予め試験判定要素により条件付けられた試験範囲判定基準に基づき、前記試験対象ごとの前記合計ポイントに応じて前記試験実施範囲を抽出する試験範囲抽出ステップと、を含む
ことを特徴とする試験実施範囲抽出方法。
【請求項８】
試験対象のロジックを示す図書を入力して試験実施範囲を抽出する試験実施範囲抽出装置に用いられる試験実施範囲抽出方法であって、
前記試験実施範囲抽出装置が、入力した前記図書から前記ロジックを構成するロジック構成要素を抽出する図書入力ステップと、
前記試験実施範囲抽出装置が、前記試験対象についての重要度の指標が予め設定された重要度付与判定基準に基づいて、抽出された前記ロジック構成要素のうちの前記重要度の指標に該当するものに重みポイントを付与し、当該付与した重みポイントを前記試験対象ごとに合計して合計ポイントを算出する重要度付与ステップと、
前記試験実施範囲抽出装置が、予め試験判定要素により条件付けられた試験範囲判定基準に基づき、前記試験対象ごとの前記合計ポイントに応じて試験実施範囲を抽出する試験範囲抽出ステップと、を含む
ことを特徴とする試験実施範囲抽出方法。
【請求項９】
試験対象のロジックを示す図書を入力して試験実施範囲を抽出する試験実施範囲抽出装置に用いられる試験実施範囲抽出方法であって、
前記試験実施範囲抽出装置が、入力した前記図書から前記ロジックを構成するロジック構成要素を抽出する図書入力ステップと、
前記試験実施範囲抽出装置が、前記ロジック構成要素ごとに付与するポイントの指標が予め設定されたポイント付与判定基準に基づいて、抽出された前記ロジック構成要素にポイントを付与し、当該付与したポイントを前記試験対象ごとに合計して小計ポイントを算出するポイント付与ステップと、
前記試験実施範囲抽出装置が、前記試験対象についての重要度の指標が予め設定された重要度付与判定基準に基づいて、抽出された前記ロジック構成要素のうちの前記重要度の指標に該当するものに重みポイントを付与し、当該付与した重みポイントを前記小計ポイントに所定の算術を施して前記試験対象ごとに合計して合計ポイントを算出する重要度付与ステップと、
前記試験実施範囲抽出装置が、予め試験判定要素により条件付けられた試験範囲判定基準に基づき、前記試験対象ごとの前記合計ポイントに応じて試験実施範囲を抽出する試験範囲抽出ステップと、を含む
ことを特徴とする試験実施範囲抽出方法。
【発明の詳細な説明】
【技術分野】
【０００１】
本発明の実施形態は、プラントなどの図書から試験実施範囲を抽出する試験実施範囲抽出装置および試験実施範囲抽出方法に関する。
【背景技術】
【０００２】
原子力発電所をはじめとする発電プラントのディジタル制御装置更新工事を実施する場合、プラント停止中の定検期間内に更新工事を完了させる必要がある。ディジタル制御装置更新工事は、更新対象の系統の更新工事中の監視・制御の要否や更新対象制御装置の状態により更新作業の進め方は異なるが、新設ディジタル制御装置を設置した後に、新設ディジタル制御装置の試験を行い、健全性を確認する必要がある。試験にて健全性が確認された後に、新設ディジタル制御装置を運用する。
【０００３】
なお、プラント監視制御装置の交換方法において、その交換は、データ変換装置を介して既設のプラント監視制御装置及び新設のプラント監視制御装置を並列させ、プロセス入出力装置と接続する。そして、既設のプラント監視制御装置、新設のプラント監視制御装置は、共にデータ変換装置を介して供給された状態信号に対してプラントの状態監視及び制御を行うが、新設のプラント監視制御装置はデータ変換装置を介して該装置に適合したデータ形式に変換された状態信号を用いる。双方のプラント監視制御装置は、供給された状態信号に対して、同じ処理結果が得られるまで新設のプラント監視制御装置を調整し、調整完了後に既設のプラント監視制御装置の接続を切断することが知られている（例えば、特許文献１参照）。
【先行技術文献】
【特許文献】
【０００４】
【特許文献１】特開２００３−３１６４２７号公報
【発明の概要】
【発明が解決しようとする課題】
【０００５】
近年、プラント稼働率向上の観点より定検期間の短期化が要望としてある。定検期間が短くなった場合、短い作業期間内に、更新工事と試験を完了させる必要がある。このため、新設ディジタル制御装置等の試験にて全ての項目を試験することが困難な場合があった。また、システムによって、試験の実施を要求される範囲が異なるため、試験実施範囲を一律に決めることはできなかった。このような状況で、現在、試験実施範囲の決定方法としては、過去の試験実績から試験実施範囲を決める方法が用いられており、試験実施範囲を定量的に決める手法が望まれる。
【０００６】
上述のように、過去の試験実績より人間系（作業者の経験や人手による作業など）によって試験実施範囲を決定するため、判定基準が定量的でなく、判定基準を共有しにくいという課題があった。また、人間系により試験実施範囲を抽出するため、試験対象ごとに個別に検討する必要があり、試験実施範囲の抽出には時間がかかるという課題があった。
【０００７】
本発明の実施形態が解決しようとする課題は、予め設定した判定基準に従って、図書入力から試験実施範囲を自動的に抽出することができる試験実施範囲抽出装置および試験実施範囲抽出方法を提供することである。
【課題を解決するための手段】
【０００８】
上記課題を解決するために、一つの実施形態の試験実施範囲抽出装置は、試験対象のロジックを示す図書を入力し、当該入力した図書から前記ロジックを構成するロジック構成要素を抽出する図書入力部と、前記ロジック構成要素ごとに付与するポイントの指標が予め設定されたポイント付与判定基準に基づいて、抽出された前記ロジック構成要素にポイントを付与し、当該付与したポイントを前記試験対象ごとに合計して合計ポイントを算出するポイント付与部と、予め試験判定要素により条件付けられた試験範囲判定基準に基づき、前記試験対象ごとの前記合計ポイントに応じて試験実施範囲を抽出する試験範囲抽出部と、を備えることを特徴とする。
【０００９】
上記課題を解決するために、他の一つの実施形態の試験実施範囲抽出装置は、試験対象のロジックを示す図書を入力し、当該入力した図書から前記ロジックを構成するロジック構成要素を抽出する図書入力部と、前記試験対象についての重要度の指標が予め設定された重要度付与判定基準に基づいて、抽出された前記ロジック構成要素のうちの前記重要度の指標に該当するものに重みポイントを付与し、当該付与した重みポイントを前記試験対象ごとに合計して合計ポイントを算出する重要度付与部と、予め試験判定要素により条件付けられた試験範囲判定基準に基づき、前記試験対象ごとの前記合計ポイントに応じて試験実施範囲を抽出する試験範囲抽出部と、を備えることを特徴とする。
【００１０】
上記課題を解決するために、さらに他の一つの実施形態の試験実施範囲抽出装置は、試験対象のロジックを示す図書を入力し、当該入力した図書から前記ロジックを構成するロジック構成要素を抽出する図書入力部と、前記ロジック構成要素ごとに付与するポイントの指標が予め設定されたポイント付与判定基準に基づいて、抽出された前記ロジック構成要素にポイントを付与し、当該付与したポイントを前記試験対象ごとに合計して小計ポイントを算出するポイント付与部と、前記試験対象についての重要度の指標が予め設定された重要度付与判定基準に基づいて、抽出された前記ロジック構成要素のうちの前記重要度の指標に該当するものに重みポイントを付与し、当該付与した重みポイントを前記小計ポイントに所定の算術を施して前記試験対象ごとに合計して合計ポイントを算出する重要度付与部と、予め試験判定要素により条件付けられた試験範囲判定基準に基づき、前記試験対象ごとの前記合計ポイントに応じて試験実施範囲を抽出する試験範囲抽出部と、を備えることを特徴とする。
【００１１】
また、上記課題を解決するために、一つの実施形態の試験実施範囲抽出方法は、試験対象のロジックを示す図書を入力して試験実施範囲を抽出する試験実施範囲抽出装置に用いられる試験実施範囲抽出方法である。当該試験実施範囲抽出方法は、前記試験実施範囲抽出装置が、入力した前記図書から前記ロジックを構成するロジック構成要素を抽出する図書入力ステップと、前記試験実施範囲抽出装置が、前記ロジック構成要素ごとに付与するポイントの指標が予め設定されたポイント付与判定基準に基づいて、抽出された前記ロジック構成要素にポイントを付与し、当該付与したポイントを前記試験対象ごとに合計して合計ポイントを算出するポイント付与ステップと、前記試験実施範囲抽出装置が、予め試験判定要素により条件付けられた試験範囲判定基準に基づき、前記試験対象ごとの前記合計ポイントに応じて前記試験実施範囲を抽出する試験範囲抽出ステップと、を含むことを特徴とする。
【００１２】
また、上記課題を解決するために、他の一つの実施形態の試験実施範囲抽出方法は、試験対象のロジックを示す図書を入力して試験実施範囲を抽出する試験実施範囲抽出装置に用いられる試験実施範囲抽出方法である。当該試験実施範囲抽出方法は、前記試験実施範囲抽出装置が、入力した前記図書から前記ロジックを構成するロジック構成要素を抽出する図書入力ステップと、前記試験実施範囲抽出装置が、前記試験対象についての重要度の指標が予め設定された重要度付与判定基準に基づいて、抽出された前記ロジック構成要素のうちの前記重要度の指標に該当するものに重みポイントを付与し、当該付与した重みポイントを前記試験対象ごとに合計して合計ポイントを算出する重要度付与ステップと、前記試験実施範囲抽出装置が、予め試験判定要素により条件付けられた試験範囲判定基準に基づき、前記試験対象ごとの前記合計ポイントに応じて試験実施範囲を抽出する試験範囲抽出ステップと、を含むことを特徴とする。
【００１３】
また、上記課題を解決するために、さらに他の一つの実施形態の試験実施範囲抽出方法は、試験対象のロジックを示す図書を入力して試験実施範囲を抽出する試験実施範囲抽出装置に用いられる試験実施範囲抽出方法である。当該試験実施範囲抽出方法は、前記試験実施範囲抽出装置が、入力した前記図書から前記ロジックを構成するロジック構成要素を抽出する図書入力ステップと、前記試験実施範囲抽出装置が、前記ロジック構成要素ごとに付与するポイントの指標が予め設定されたポイント付与判定基準に基づいて、抽出された前記ロジック構成要素にポイントを付与し、当該付与したポイントを前記試験対象ごとに合計して小計ポイントを算出するポイント付与ステップと、前記試験実施範囲抽出装置が、前記試験対象についての重要度の指標が予め設定された重要度付与判定基準に基づいて、抽出された前記ロジック構成要素のうちの前記重要度の指標に該当するものに重みポイントを付与し、当該付与した重みポイントを前記小計ポイントに所定の算術を施して前記試験対象ごとに合計して合計ポイントを算出する重要度付与ステップと、前記試験実施範囲抽出装置が、予め試験判定要素により条件付けられた試験範囲判定基準に基づき、前記試験対象ごとの前記合計ポイントに応じて試験実施範囲を抽出する試験範囲抽出ステップと、を含むことを特徴とする。
【発明の効果】
【００１４】
本実施形態に係る試験実施範囲抽出装置および試験実施範囲抽出方法によれば、予め設定した判定基準に従って、図書入力から試験実施範囲を自動的に抽出することができる。
【図面の簡単な説明】
【００１５】
【図１】第１の実施形態に係る試験実施範囲抽出装置の構成を示すブロック図。
【図２】試験対象の図書に示されるロジック構成要素およびポイント付与の一例を示す図。
【図３】図２の試験対象に対するポイント付与判定基準の一例を示す図。
【図４】試験対象ごとの合計ポイントおよび優先順位表の一例を示す図。
【図５】試験範囲判定基準ＤＢに登録された試験範囲判定基準の構成の一例を示す図。
【図６】図４の試験対象に対する試験範囲判定の一例を示す図。
【図７】電気回路を試験対象とする場合の図書に示されるロジック構成要素およびポイント付与の一例を示す図。
【図８】図７の試験対象に対するポイント付与判定基準の一例を示す図。
【図９】図１の試験実施範囲抽出装置に用いられる試験実施範囲抽出処理フローを示すフロー図。
【図１０】第２の実施形態に係る試験実施範囲抽出装置の構成を示すブロック図。
【図１１】試験対象の図書に示されるロジック構成要素および重みポイント付与の一例を示す図。
【図１２】試験対象ごとの重みポイント付与の一例を示す図。
【図１３】図１０の試験実施範囲抽出装置に用いられる試験実施範囲抽出処理フローを示すフロー図。
【図１４】第３の実施形態に係る試験実施範囲抽出装置の構成を示すブロック図。
【図１５】試験対象ごとの小計ポイント、重みポイント、合計ポイントおよび優先順位の一例を示す図。
【図１６】図１４の試験実施範囲抽出装置に用いられる試験実施範囲抽出処理フローを示すフロー図。
【図１７】第４および第５の実施形態に係る試験実施範囲抽出装置の構成を示すブロック図。
【図１８】スイッチ入の信号経路を抽出試験範囲に含む一例を示す図。
【図１９】スイッチ切の信号経路を抽出試験範囲に含む一例を示す図。
【図２０】図１８および図１９の試験対象に対するポイント付与判定基準の一例を示す図。
【図２１】信号の取り合いがある一つの信号経路を試験対象に含む場合のポイント付与の一例を示す図。
【図２２】信号の取り合いがある他の一つの信号経路を試験対象に含む場合のポイント付与の一例を示す図。
【図２３】図２１および図２２の試験対象に対するポイント付与判定基準の一例を示す図。
【図２４】第６の実施形態に係る試験実施範囲抽出装置の構成を示すブロック図。
【図２５】一つの送風機を試験対象とする図書に示されるロジック構成要素の一例を示す図。
【図２６】他の一つの送風機を試験対象とする図書に示されるロジック構成要素の一例を示す図。
【図２７】図２５および図２６のロジック構成要素の試験遷移状態を示す図。
【発明を実施するための形態】
【００１６】
以下、本発明の実施形態に係る試験実施範囲抽出装置および試験実施範囲抽出方法について、図面を参照して具体的に説明する。ここで、互いに同一または類似の部分には共通の符号を付して、重複する説明は省略する。ここで説明する下記の実施形態はいずれも、発電所などのプラントに備えられるディジタル制御装置の試験のために用いられる試験実施範囲抽出装置の一例をとりあげて説明する。
【００１７】
［第１の実施形態］
図１は、第１の実施形態に係る試験実施範囲抽出装置の構成を示すブロック図である。以下、この他にも、適宜、図３ないし図９も参照しながら第１の実施形態の試験実施範囲抽出装置について説明する。
【００１８】
第１の実施形態の試験実施範囲抽出装置１ａは、例えばプラントに備えられるディジタル制御装置（図示しない）についての試験対象６０が示されている図書５１に基づいて、ロジック構成要素に試験の必要性（試験必要度）を指標とするためのポイントを付与し、当該ポイント付与結果に応じてプラントの試験実施範囲を自動的に抽出する。
【００１９】
試験実施範囲抽出装置１ａは、図１に示すように、図書入力部１１、ポイント付与部１３、ポイント付与判定基準ＤＢ（データベース）１４、試験範囲抽出部１７および試験範囲判定基準ＤＢ（データベース）１８を備える。
【００２０】
図書入力部１１は、試験対象６０ごとに応じた図書５１が入力される。図書入力部１１は、入力された図書５１に示されるロジック（例えば図２に示す試験対象６０Ａのロジック図）を構成する信号、スイッチ、論理積和等のポイント付与対象となるロジック構成要素を抽出する。なお、以降において、ロジック図をＩＢＤ（Ｉｎｔｅｒｌｏｃｋ  Ｂｌｏｃｋ  Ｄｉａｇｒａｍ）とも記す。また、試験対象６０は、後述する図２に示す試験対象６０Ａ、図７に示す試験対象６０Ｂなどを代表して記すものとする。
【００２１】
図２に、試験対象６０Ａの図書に示されるロジック構成要素およびポイント付与の一例を示す。
【００２２】
例えば、図２に示すようなロジックを含む試験対象６０Ａの場合、入力されたＩＢＤのＣＡＤ（Ｃｏｐｕｔｅｒ  Ａｉｄｅｄ  Ｄｅｓｉｇｎ）データに基づいて、ロジック構成要素であるスイッチの記号、入力信号の記号、機器の記号、演算上の論理和等の記号および各記号に対応する名称が定義されている。図書入力部１１は、これらのＣＡＤデータなどに基づいて、スイッチの記号、入力信号の記号等のロジック構成要素を抽出する。図書入力部１１は、抽出したロジック構成要素をポイント付与部１３へ出力する。
【００２３】
ポイント付与部１３は、図書入力部１１により抽出されたロジック構成要素（ポイント付与対象）に対して、ポイントを付与する。なお、ポイントを付与する際の判定基準は、ポイント付与判定基準ＤＢ１４に登録されたポイント付与判定基準１４２Ａを用いる。ポイント付与判定基準ＤＢ１４には、予め設定されたポイント付与判定基準１４２Ａが登録され、格納される。
【００２４】
図３に、図２の試験対象６０Ａに対するポイント付与判定基準１４２Ａの一例を示す。
【００２５】
ポイント付与判定基準１４２Ａは、ロジック構成要素（試験対象機器も含む）ごとに、ロジック構成要素に試験必要度を指標とするためのポイントが予め定められる。
【００２６】
ポイント付与部１３は、ポイント付与判定基準ＤＢ１４を参照し、ポイント付与対象へポイントを付与する際のポイント付与判定基準１４２Ａを抽出する。ポイント付与部１３は、ポイント付与判定基準１４２Ａに基づいて、抽出されたロジック構成要素に対してポイントを付与する。ポイント付与部１３は、ポイントを付与した結果について、試験対象６０ごとにポイントを合計した値を合計ポイントとして試験範囲抽出部１７へ出力する。
【００２７】
ポイント付与判定基準１４２Ａは、例えば以下のような設定に基づいて、図３のように設定され、予めポイント付与判定基準ＤＢ１４に登録される。
【００２８】
（ポイント付与判定基準の設定例１）
プラント関連の機器等の状態による入力信号は、機器現地搬入前の工場にて模擬信号での取合い試験のみを実施しており、実機との取合いが重要であることから、例えばポイントとして「３」が設定される。なお、例えばポンプへの入力信号は、工場にて実機との取合い確認が可能だが、現地にて一度解線作業を伴うため、前述の「３」よりも低いポイントとして「２」が設定される。
【００２９】
また、スイッチは、実機との取合いではあるが、ハードスイッチであり動作が単純な構成で故障率が低いものなどが試験必要度は低いものとし、ポイントとして「１」が設定される。
【００３０】
論理回路（論理積、論理和、否定など）は、工場側の試験にて確認が取れているため、ポイントとして「０」が設定される。
【００３１】
また、ポイント付与対象へ付与したポイントをまとめた値である合計ポイントを、例えば図２に示す試験対象６０Ａに含まれる送風機Ａにて算出した場合、合計ポイントは「１＋１＋１＋１＋１＋３＋３＋０×１５＝１１ポイント」となる。なお、合計ポイントの算出方法は、積算以外に、乗算、積算と乗算の組み合わせ等も試験対象６０（試験対象機器を含む）に応じて用いてもよい。
【００３２】
試験範囲抽出部１７は、ポイント付与部１３より出力された試験対象６０ごとの合計ポイントに対して、ポイントの大小に応じて、試験対象６０ごとに試験を実施するための優先順位を決定する。
【００３３】
図４に、試験対象ごとの合計ポイントおよび優先順位表の一例を示す。
【００３４】
試験範囲抽出部１７は、図４に示すように、合計ポイントが大である試験対象機器から優先順位を高く設定する。例えば、試験対象機器「送風機Ａ」が優先順位「１」で最も高く、試験対象機器「排風機Ａ」が優先順位「２」で次に高く設定する等である。
【００３５】
さらに、試験範囲抽出部１７は、試験対象６０ごとの合計ポイントおよび優先順位に対して、試験範囲判定基準ＤＢ１８に登録された試験範囲判定基準１８１を適用し、試験実施範囲を抽出する。なお、一または複数の図書５１から一または複数の抽出試験範囲５２が抽出されて、これらが試験実施範囲とされる。
【００３６】
図５に、試験範囲判定基準ＤＢ１８に登録された試験範囲判定基準１８１の構成の一例を示す。また、図６に、図４の試験対象６０に対する試験範囲判定の一例を示す。
【００３７】
試験範囲判定基準ＤＢ１８は、試験範囲判定基準１８１ごとに、複数の試験判定要素の組合せ、および、当該試験判定要素により条件付けられた試験判定基準を格納する。
【００３８】
試験範囲判定基準１８１には、例えば「合計ポイント」、「優先順位」などの試験判定要素が格納され、試験判定要素に対して試験判定基準が予め条件付けられる。試験判定基準は、例えば「「合計ポイント」Ｘ以上、または「優先順位」Ｙまでのいずれか試験対象数が多い方」とする論理条件などが格納されている。
【００３９】
試験範囲抽出部１７は、試験範囲判定基準ＤＢ１８を参照し、試験範囲判定基準１８１を検索する。例えば、試験範囲抽出部１７に対して、外部からの指示入力により、試験対象６０についてどのような試験を行うかを設定入力可能である。試験範囲判定基準ＤＢ１８に複数の試験範囲判定基準１８１が登録されている場合に、外部からの指示入力により試験実施範囲の絞込みや、拡大などが可能である。
【００４０】
試験範囲判定基準ＤＢ１８に登録される試験範囲判定基準１８１を「「合計ポイント」１０以上、または「優先順位」４位まで」とした例を図５に示す。
【００４１】
図６に示す抽出試験範囲５２は、試験範囲判定基準１８１に基づき、複数の試験対象機器のうち合計ポイントが１０（Ｘ）以上のもの、または、優先順位が４（Ｙ）位までのものが抽出されている。また、優先順位によって、抽出試験範囲５２の試験対象について試験順序を決定してもよい。
【００４２】
試験範囲抽出部１７は、抽出試験範囲５２を、抽出対象の図書５１や図書５１内に記載されている試験対象機器名称、ロジック構成要素の種類等の項目と共に外部へ出力してもよい。外部への出力としては、例えば表示モニタへの表示や、プリンタへ印字、外部メディアへの保存、通信出力などである。
【００４３】
以上により、試験作業員は、出力された一または複数の抽出試験範囲５２からなる試験実施範囲に対して試験を行うことができる。なお、抽出試験範囲５２を出力する他にも、試験実施範囲外（試験を行わない範囲）を区分して出力してもよい。
【００４４】
試験範囲抽出部１７は、試験範囲判定基準ＤＢ１８を参照して、例えば図５に示す試験範囲判定基準１８１を用いる。具体的には、試験範囲抽出部１７は、「試験対象として優先順位の上位４位まで、または、合計ポイントが１０ポイント以上の条件」を満足し、かつ、試験対象６０の数が多い条件に決定する。この結果、抽出試験範囲５２として、図６に示す「送風機Ａ、排風機Ａ、ポンプＢ、ポンプＡ」の試験対象機器を含む試験実施範囲が抽出される。
【００４５】
なお、図書５１に示される内容の形式がＩＢＤでなく、別の形式（ＣＡＤデータ以外のデータ形式など）で示される図書５１に対しても前述の機能は適用可能である。
【００４６】
図７に、電気回路を試験対象６０Ｂとする場合の図書５１に示されるロジック構成要素およびポイント付与の一例を示す。また、図８に、図７の試験対象６０Ｂに対するポイント付与判定基準１４２Ｂの一例を示す。
【００４７】
図７に示すポイント付与をする際のポイント付与判定基準１４２Ｂは、図８が用いられている。図８に示すポイント付与判定基準１４２Ｂの設定は、例えば以下のような設定に基づいて、予めポイント付与判定基準ＤＢ１４に登録される。
【００４８】
（ポイント付与判定基準の設定例２）
ヒューズは、通常時（ヒューズ断以外）に回路動作に本質的な影響を与えないことから、ポイントが「０」と設定される。また、プッシュボタン（ＰＢ）およびリードスイッチ（ＬＳ）は、物理的な動作をする機器であり、機器の構造が単純であることから、ポイントが「１」と設定される。リレー（Ｒ）は、電気的な動作を伴う機器であり、物理的な動作のみをする機器よりもポイントを高くし、ポイントが「２」と設定される。
【００４９】
電磁接触器（ＭＣ）は、装置動作の電源ＯＮ／ＯＦＦ上、重要な機能を有するため、前述の機器よりも高いポイント「３」が設定される。サーマルリレー（ＴＨＲ）は装置保護上重要な回路のため、さらに高いポイント「５」が設定される。
【００５０】
図９に、図１の試験実施範囲抽出装置１ａに用いられる試験実施範囲抽出処理フローを示す。
【００５１】
図９に示す試験実施範囲抽出処理フローは、例えば試験実施範囲抽出装置１ａのパワーオン後、入力装置などを介して、以下のステップＳ１の処理が開始される。
【００５２】
図書入力部１１は、図書５１のロジック構成要素を抽出する（ステップＳ１）。
【００５３】
ポイント付与部１３は、ポイント付与判定基準ＤＢ１４のポイント付与判定基準１４２Ａに基づいて、抽出されたロジック構成要素にポイントを付与する（ステップＳ２）。
【００５４】
ポイント付与部１３は、試験対象６０ごとの合計ポイントを算出する（ステップＳ３）。
【００５５】
試験範囲抽出部１７は、算出した合計ポイントに基づいて、試験対象６０ごとの優先順位を決定する（ステップＳ４）。
【００５６】
試験範囲抽出部１７は、試験範囲判定基準ＤＢ１８の試験範囲判定基準１８１に基づき、試験対象６０ごとの合計ポイントおよび優先順位に応じて試験実施範囲を抽出する（ステップＳ５）。ステップＳ５の後、本処理は終了する。
【００５７】
なお、図１の試験実施範囲抽出装置１ａの主な機器構成として、例えばＣＰＵ（Ｃｅｎｔｒａｌ Ｐｒｏｃｅｓｓｉｎｇ Ｕｎｉｔ）、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）、ＨＤＤ（Ｈａｒｄ Ｄｉｓｋ Ｄｒｉｖｅ）、キーボード、マウス、モニタなどを備える構成（コンピュータ）であってもよい。
【００５８】
このような構成の場合には、例えば前述したような試験実施範囲抽出処理などを実行するプログラムが試験実施範囲抽出装置１ａに備えられ、ＣＰＵ、ＲＡＭ等により当該プログラムに従って、試験実施範囲抽出装置１ａの各々の処理部（図１に示す各処理部）における処理を実行することになる。
【００５９】
また、オペレータが、キーボード、マウスなどから入力などを操作する構成の他にも、試験実施範囲抽出装置１ａがネットワークカードなどの通信手段を備え、ＬＡＮ等を介して、外部から入力などを受け付ける構成であってもよい。
【００６０】
第１の実施形態によれば、試験対象についての図書を入力することで、ポイント付与判定基準および試験範囲判定基準に基づいて、試験実施範囲を自動的に抽出することができる。これにより、個々の試験作業員の判断基準によらず、定量的な判定基準に基づき、試験実施範囲を短時間で抽出することができる。
【００６１】
［第２の実施形態］
図１０は、第２の実施形態に係る試験実施範囲抽出装置の構成を示すブロック図である。以下、この他にも、適宜、図１１ないし図１３も参照しながら第２の実施形態の試験実施範囲抽出装置について説明する。なお、第２の実施形態と同一の構成には同一の符号を付与し、以降では重複する説明は省略する。
【００６２】
第２の実施形態の試験実施範囲抽出装置１ｂは、試験対象６０が示されている図書５１に基づいて、ロジック構成要素のいずれかに重要度を指標とするための重みポイントを付与し、当該重みポイント付与結果に応じてプラントの試験実施範囲を自動的に抽出する。
【００６３】
試験実施範囲抽出装置１ｂは、図１０に示すように、図書入力部１１、重要度付与部１５、重要度付与判定基準ＤＢ（データベース）１６、試験範囲抽出部１７および試験範囲判定基準ＤＢ１８を備える。
【００６４】
図書入力部１１は、入力された図書５１に示されるロジック構成要素を抽出する。図書入力部１１は、抽出したロジック構成要素を重要度付与部１５へ出力する。
【００６５】
重要度付与部１５は、試験対象６０についての重要度の指標が予め設定された重要度付与判定基準１６１に基づいて、抽出されたロジック構成要素のうちの重要度の指標に該当するものに重みポイントを付与する。
【００６６】
このために、重要度付与部１５は、重要度付与判定基準ＤＢ１６を参照し、重みポイント付与対象へポイントを付与する際の重要度付与判定基準１６１を抽出する。重要度付与判定基準ＤＢ１６には、予め設定された重要度付与判定基準１６１が登録され、格納されている。
【００６７】
重要度付与部１５は、重みポイントを付与した結果に基づき、試験対象６０ごとに付与した重みポイントを合計し、合計ポイントとして試験範囲抽出部１７へ出力する。
【００６８】
図１１に、試験対象６０Ｃの図書に示されるロジック構成要素および重みポイント付与の一例を示す。また、図１２に、試験対象６０ごとの重みポイント付与の一例を示す。
【００６９】
図１１および図１２では、試験対象６０Ｃに対する重要度として、例えば試験対象機器の重要度、試験対象機器の試験時間、試験対象機器の試験時に使用する試験機器のコスト、試験対象機器の試験に要する人員などの各々の指標に基づいている。
【００７０】
具体的には、重要度付与判定基準１６１は、例えば以下のような各指標における判定基準（例えばポイント区分）が設定され、予め重要度付与判定基準ＤＢ１６に登録されている。
【００７１】
（重要度付与判定基準の設定例）
（１）試験対象機器の重要度
ＭＳ−１、ＰＳ−１に該当する系統の機器：５
ＭＳ−２、ＰＳ−２に該当する系統の機器：３
ＭＳ−３、ＰＳ−３に該当する系統の機器：２
上記以外の機器                        ：１
予め定められた重要度分類指針や基準などに従って、異常発生防止系（ＰＳ）、異常影響緩和系（ＭＳ）の系統に関連する機器に対して設定する。
【００７２】
（２）試験対象機器の試験に要する試験時間
試験時間が１時間未満：５
試験時間が３時間未満：３
試験時間が５時間未満：１
試験時間が５時間以上：０．８
過去の試験実績に基づき、試験時間により設定する。
【００７３】
（３）試験対象機器の試験時に使用する試験機器
既に保有している試験機器                      ：５
試験時間当たりの試験機器のレンタルが３万円未満：３
試験時間当たりの試験機器のレンタルが３万円以上：１
試験実施時に使用する試験機器のコストに基づき設定する。
【００７４】
（４）試験対象機器の試験に要する人員
１人にて試験が実施可能          ：５
３人未満にて試験が実施可能      ：３
５人未満にて試験が実施可能      ：１
５人以上にて試験を実施する必要有：０．８
試験実施時に必要となる人員の数に基づき設定する。
【００７５】
なお、以上のような重要度付与判定基準１６１に基づいた場合、送風機Ａに付与される重みポイントは、上記（１）×（２）×（３）×（４）＝２×０．８×３×３＝１４．４ポイントであり、図１２に示すように合計ポイントが１４．４ポイントとなる。
【００７６】
また、重みポイント同士の組み合わせ方法は乗算に限らず、重みを付ける試験対象によって、積算や積算と乗算の組み合わせなどにより算出してもよい。
【００７７】
試験範囲抽出部１７は、重要度付与部１５により試験対象６０ごとに付与された合計ポイントに基づいて、第１の実施形態と同様に試験実施範囲を抽出する。すなわち、試験範囲抽出部１７は、試験対象６０ごとの合計ポイントおよび優先順位に対して、試験範囲判定基準ＤＢ１８に登録された試験範囲判定基準１８１を適用し、試験実施範囲を抽出する。試験範囲抽出部１７は、抽出した試験実施範囲（一または複数の抽出試験範囲５２）を、外部（表示装置、印字装置、ネットワークなど）へ出力する。
【００７８】
図１３に、図１０の試験実施範囲抽出装置１ｂに用いられる試験実施範囲抽出処理フローを示す。
【００７９】
図１３に示す試験実施範囲抽出処理フローは、例えば試験実施範囲抽出装置１ｂのパワーオン後、入力装置などを介して、以下のステップＳ１１の処理が開始される。
【００８０】
図書入力部１１は、図書５１のロジック構成要素を抽出する（ステップＳ１１）。
【００８１】
重要度付与部１５は、重要度付与判定基準ＤＢ１６の重要度付与判定基準１６１に基づいて、抽出されたロジック構成要素のうちの重要度の指標に該当するものに重みポイントを付与する（ステップＳ１２）。
【００８２】
重要度付与部１５は、試験対象６０ごとの合計ポイントを算出する（ステップＳ１３）。
【００８３】
試験範囲抽出部１７は、算出した合計ポイントに基づいて、試験対象６０ごとの優先順位を決定する（ステップＳ１４）。
【００８４】
試験範囲抽出部１７は、試験範囲判定基準ＤＢ１８の試験範囲判定基準１８１に基づき、試験対象６０ごとの合計ポイントおよび優先順位に応じて試験実施範囲を抽出する（ステップＳ１５）。ステップＳ１５の後、本処理は終了する。
【００８５】
第２の実施形態によれば、試験対象についての図書を入力することで、重要度付与判定基準および試験範囲判定基準に基づいて、試験実施範囲を自動的に抽出することができる。これにより、個々の試験作業員の判断基準によらず、定量的な判定基準に基づき、試験実施範囲を短時間で抽出することができる。
【００８６】
［第３の実施形態］
図１４は、第３の実施形態に係る試験実施範囲抽出装置の構成を示すブロック図である。以下、この他にも、適宜、図１５および図１６も参照しながら第３の実施形態の試験実施範囲抽出装置について説明する。
【００８７】
第３の実施形態の試験実施範囲抽出装置１ｃは、試験対象のロジック上のスイッチ、入力信号等のロジック構成要素と試験対象６０に対する重要度の指標とに基づき、試験実施範囲を自動的に抽出する。
【００８８】
試験実施範囲抽出装置１ｃは、図１４に示すように、図書入力部１１、ポイント付与部１３、ポイント付与判定基準ＤＢ１４、重要度付与部１５、重要度付与判定基準ＤＢ１６、試験範囲抽出部１７および試験範囲判定基準ＤＢ１８を備える。
【００８９】
ポイント付与部１３は、試験対象６０について小計ポイント（第１の合計ポイント）を付与する。ポイント付与部１３は、試験対象６０ごとに付与した小計ポイントと試験対象機器などのロジック構成要素の名称（または各々を特定可能なＩＤ）などを、重要度付与部１５へ出力する。
【００９０】
重要度付与部１５は、ポイント付与部１３から出力されたロジック構成要素のうちの重要度の指標に該当するものに重みポイントを付与する。また、重要度付与部１５は、付与した重みポイントおよびポイント付与部１３から出力された試験対象６０ごとの合計ポイントに基づいて、試験対象６０ごとの合計ポイント（第２の合計ポイント）を算出する。重要度付与部１５は、合計ポイントに基づいて、複数の試験対象６０についての優先順位を決定する。
【００９１】
図１５に、試験対象６０ごとの小計ポイント、重みポイント、合計ポイントおよび優先順位の一例を示す。
【００９２】
例えば、ポイント付与部１３は、図２に示す試験対象６０Ａについて、小計ポイントを付与する。これにより、図２に示す試験対象６０Ａのロジック構成要素であるスイッチ、入力信号等にポイントが付与される。ポイント付与部１３は、試験対象６０Ａの小計ポイントを重要度付与部１５に出力する。
【００９３】
図１２に示す試験対象機器ごとの重みポイントとした場合、重要度付与部１５は、送風機Ａの合計ポイントを１１×１４．４＝１５８．４と算出する。同様に、図４および図１２を用いると、その他の試験対象機器についても、図１５に示すように、合計ポイントが算出される。なお、ポイント付与部１３より入力される小計ポイントと重みポイントとの所定の算術は、乗算に限らず積算、もしくはそれらの組み合わせなどを用いてもよい。
【００９４】
重要度付与部１５は、以上のような合計ポイントの結果を試験範囲抽出部１７へ出力する。
【００９５】
試験範囲抽出部１７は、試験対象６０ごとに付与された合計ポイントに基づいて、試験実施範囲を抽出する。すなわち、試験範囲抽出部１７は、試験対象６０ごとの合計ポイントおよび優先順位に対して、試験範囲判定基準ＤＢ１８に登録された試験範囲判定基準１８１を適用し、試験実施範囲を抽出する。試験範囲抽出部１７は、抽出した試験実施範囲を外部へ出力する。
【００９６】
図１６に、図１４の試験実施範囲抽出装置１ｃに用いられる試験実施範囲抽出処理フローを示す。
【００９７】
図１６に示す試験実施範囲抽出処理フローは、例えば試験実施範囲抽出装置１ｃのパワーオン後、入力装置などを介して、以下のステップＳ２１の処理が開始される。
【００９８】
図書入力部１１は、図書５１のロジック構成要素を抽出する（ステップＳ２１）。
【００９９】
ポイント付与部１３は、ポイント付与判定基準ＤＢ１４のポイント付与判定基準１４２Ａに基づいて、抽出されたロジック構成要素にポイントを付与する（ステップＳ２２）。
【０１００】
ポイント付与部１３は、試験対象６０ごとの小計ポイントを算出する（ステップＳ２３）。
【０１０１】
重要度付与部１５は、重要度付与判定基準ＤＢ１６の重要度付与判定基準１６１に基づいて、抽出されたロジック構成要素のうちの重要度の指標に該当するものに重みポイントを付与する（ステップＳ２４）。
【０１０２】
重要度付与部１５は、試験対象６０ごとの小計ポイントおよび重みポイントから合計ポイントを算出する（ステップＳ２５）。
【０１０３】
試験範囲抽出部１７は、算出した合計ポイントに基づいて、試験対象６０ごとの優先順位を決定する（ステップＳ２６）。
【０１０４】
試験範囲抽出部１７は、試験範囲判定基準ＤＢ１８の試験範囲判定基準１８１に基づき、試験対象６０ごとの合計ポイントおよび優先順位に応じて試験実施範囲を抽出する（ステップＳ２７）。ステップＳ２７の後、本処理は終了する。
【０１０５】
第３の実施形態によれば、試験対象についての図書を入力することで、ポイント付与判定基準、重要度付与判定基準および試験範囲判定基準に基づいて、試験実施範囲を自動的に抽出することができる。これにより、個々の試験作業員の判断基準によらず、定量的な判定基準に基づき、試験実施範囲を短時間で抽出することができる。
【０１０６】
［第４の実施形態］
図１７は、第４および第５の実施形態に係る試験実施範囲抽出装置の構成を示すブロック図である。以下、この他にも、適宜、図１８ないし図２０も参照しながら第４の実施形態の試験実施範囲抽出装置について説明する。なお、第５の実施形態に係る試験実施範囲抽出装置については、後述する。
【０１０７】
第４の実施形態の試験実施範囲抽出装置１ｄは、ロジック構成要素間の信号経路も加味して、試験実施範囲を自動的に抽出する。
【０１０８】
試験実施範囲抽出装置１ｄは、図１７に示すように、図書入力部１１、信号経路抽出部１２、ポイント付与部１３、ポイント付与判定基準ＤＢ１４、試験範囲抽出部１７および試験範囲判定基準ＤＢ１８を備える。
【０１０９】
図書入力部１１は、入力された図書５１より抽出したロジック構成要素を信号経路抽出部１２へ出力する。
【０１１０】
信号経路抽出部１２は、図書５１（例えば図１８に示すロジック図）のＣＡＤデータから抽出されたロジック構成要素に基づいて、例えばスイッチ、入力信号等から試験対象機器までのロジック間の信号経路をトレースし、試験対象６０ごとに信号経路を抽出する。
【０１１１】
ここで、図１８および図１９に、ポイント付与部１３が試験対象６０Ｄにポイントを付与した例を示す。特に、図１８にはスイッチ入の信号経路６１Ｄを抽出試験範囲５２に含む一例を示し、図１９にはスイッチ切の信号経路６２Ｄを抽出試験範囲５２に含む一例を示す。
【０１１２】
信号経路抽出部１２は、例えば図１８および図１９にロジック構成要素としてスイッチの動作状態（「スイッチ入」と「スイッチ切」）に応じた信号経路を抽出する。
【０１１３】
具体的には、図１８の信号経路６１Ｄ（破線囲み）では、「送風機選択のスイッチ（Ｚ−ＣＯＳ）」が「Ａ運転  Ｂ予備」状態であり、かつ、「送風機Ａのスイッチ（Ｚ−ＣＳ）」が「入」で、いくつかの論理回路を経て、「送風機Ａ」が「起動」状態の信号経路とされる。
【０１１４】
また、図１９の信号経路６２Ｄ（破線囲み）では、「送風機Ａのスイッチ（Ｚ−ＣＳ）」が「切」で、いくつかの論理回路を経て、「送風機Ａ」が「停止」状態の信号経路とされる。
【０１１５】
以上のように、信号経路抽出部１２は、試験対象６０Ｄから図１８の信号経路６１Ｄと、図１９の信号経路６２Ｄとを抽出する。信号経路抽出部１２は、図書入力部１１から抽出されたロジック構成要素の情報と共に、これらの信号経路の情報をポイント付与部１３へ出力する。
【０１１６】
なお、一つの信号経路は、信号経路抽出部１２からポイント付与部１３へ出力された信号経路のうち、一つの試験対象機器（例えば図１８および図１９のスイッチ（Ｚ−ＣＳ））に対する信号の出力から他の試験対象機器（例えば図１８および図１９の送風機Ａ）の入力までのロジック上の経路である。
【０１１７】
以上説明したように、信号経路抽出部１２は、一つの試験対象６０Ｄが異なる信号経路を有する場合において、ロジック構成要素の動作状態に応じて当該異なる信号経路を抽出することができる。
【０１１８】
次に、ポイント付与部１３が、信号経路抽出部１２から抽出した信号経路へポイントを付与する処理について説明する。
【０１１９】
ポイント付与部１３は、入力されたロジック構成要素および抽出された信号経路へポイントを付与する。
【０１２０】
図２０に、図１８および図１９の試験対象６０Ｄに対するポイント付与判定基準１４２Ｄの一例を示す。図２０に示すポイント付与判定基準１４２Ｄは、図３に示すポイント付与判定基準１４２Ａと異なり、論理回路（論理積、論理和、否定など）の種類ごとにも、０以外のポイントが付与される。また、ポイントの算出方法は積算に限らず乗算、積算と乗算の組み合わせなどを用いてもよい。
【０１２１】
例えば、ポイント付与部１３は、図１８の信号経路６１Ｄと図１９の信号経路６２Ｄとを含むロジックを試験対象６０Ｄとした場合、信号経路６１Ｄには「１＋２＋１＋２＋２＋２＋３＝１３ポイント」を付与し、信号経路６２Ｄには「１＋２＋３＋１＝７ポイント」を付与する。
【０１２２】
本実施形態では、ポイント付与部１３が、試験対象６０Ｄに対して、例えば前述した第１ないし第３の実施形態による合計ポイントに、（１＋２＋１＋２＋２＋２＋３）＋（１＋２＋３＋１）＝２０ポイントをさらに付与することができる。これにより、異なる信号経路を有する試験対象６０Ｄについて、より高いポイントを付与して試験必要度を高めることができる。また、信号経路６１Ｄおよび信号経路６２Ｄを個別の抽出試験範囲５２として抽出可能である。
【０１２３】
以上説明したように、ポイント付与部１３は、試験対象６０にロジック構成要素の動作によるロジック構成要素間の異なる信号経路を含めて、ロジック構成要素にポイントを付与し、試験対象６０ごとの合計ポイントを算出することができる。
【０１２４】
試験範囲抽出部１７は、試験対象６０ごとの合計ポイントおよび優先順位に対して、試験範囲判定基準ＤＢ１８に登録された試験範囲判定基準１８１を適用し、試験実施範囲を抽出する。試験範囲抽出部１７は、抽出した試験実施範囲（一または複数の抽出試験範囲５２）を外部へ出力する。
【０１２５】
第１の実施形態の試験実施範囲抽出装置１ａは、例えば試験対象６０Ａ（図２）について基本的なロジック構成要素を試験実施範囲として抽出していた。第４の実施形態の試験実施範囲抽出装置１ｄでは、さらに、例えば試験対象６０Ｄ内の異なる信号経路６１Ｄおよび６２Ｄ（図１８および図１９）の各々についてポイントを付与することができる。これにより、複数の信号経路を有するロジック構成要素およびロジック構成要素間の異なる信号経路を含めて試験実施範囲として抽出することができる。
【０１２６】
第４の実施形態によれば、さらに、ロジック構成要素間の信号経路も加味して、試験実施範囲を自動的に抽出することができる。
【０１２７】
［第５の実施形態］
第５の実施形態に係る試験実施範囲抽出装置の構成について、図１７、図２１ないし図２３も参照しながら第５の実施形態の試験実施範囲抽出装置について説明する。
【０１２８】
第５の実施形態の試験実施範囲抽出装置１ｄは、第４の実施形態の試験実施範囲抽出装置１ｄの機能に加えて、試験対象６０の信号経路と他の試験対象６０の信号経路とが信号の取り合う信号経路も加味して、試験実施範囲を自動的に抽出する。
【０１２９】
信号経路抽出部１２は、図書５１（例えば図２１に示すロジック図）のＣＡＤデータから抽出されたロジック構成要素に基づいて、例えばスイッチ、入力信号等から試験対象機器までのロジック間の信号経路をトレースし、試験対象機器ごとに信号経路を抽出する。
【０１３０】
また、信号経路抽出部１２は、他の図書５１（例えば図２２に示すロジック図）のＣＡＤデータから抽出されたロジック構成要素に基づいて、例えばスイッチ、入力信号等から他の試験対象機器までのロジック間の信号経路をトレースし、試験対象機器ごとに信号経路を抽出する。
【０１３１】
図１７に示す信号経路抽出部１２は、第１の実施形態の構成例の図１に示す図書入力部１１からポイント付与部１３へ出力する情報と共に（加えて）、抽出した信号経路の情報をポイント付与部１３へ出力する。図１７に示すポイント付与部１３は、入力されたロジック構成要素および抽出された信号経路に対して以下のようにポイントを付与する。
【０１３２】
ポイント付与部１３は、試験対象６０にロジック構成要素間の信号経路を含め、かつ、他の試験対象６０の信号経路で前述の試験対象６０と信号を取り合う場合にも、ロジック構成要素間の信号経路上にポイントを付与し、試験対象６０ごとの合計ポイントを算出する。
【０１３３】
図２１および図２２に、ポイント付与部１３が試験対象６０Ｅおよび６０Ｆにポイントを付与した例を示す。特に、図２１には信号の取り合いがある一つの信号経路６１Ｅを試験対象６０Ｅに含む場合のポイント付与の一例を示し、図２２には信号の取り合いがある他の一つの信号経路６１Ｆを試験対象６０Ｆに含む場合のポイント付与の一例を示す。
【０１３４】
図２３に、図２１および図２２の試験対象６０Ｅおよび６０Ｆに対するポイント付与判定基準１４２Ｅの一例を示す。なお、図２３に示すポイント付与判定基準１４２Ｅは、図２０に示すポイント付与判定基準１４２Ｄと同様とする。
【０１３５】
第４の実施形態では、例えば試験対象６０Ｄのうちの各々の信号経路６１Ｄおよび６２Ｄを試験対象６０とし、信号経路上に付与したポイントを試験対象６０Ｄの合計ポイントに加算していた。
【０１３６】
一方、本実施形態では、試験対象６０Ｅのうちの信号経路６１Ｅにて、他の試験対象６０Ｆのうちの信号経路６１Ｆと入力信号（「送風機Ｂ運転」）を取り合う（送風機選択やスイッチＺ−ＣＳ切り替え等）場合、複数の試験対象６０Ｅおよび６０Ｆに含まれる信号経路６１Ｅおよび６１Ｆも試験対象６０とする。すなわち、信号経路上に付与したポイントを試験対象６０Ｅおよび６０Ｆの合計ポイントに加算する。
【０１３７】
例えば、図２１の信号経路６１Ｅ（破線囲み）と図２２の信号経路６１Ｆ（破線囲み）とを含むロジックを試験対象６０Ｅとした場合、信号経路６１Ｅに付与されるポイントは「１＋２＋３＋１＝７ポイント」、信号経路６１Ｆに付与されるポイントは「３＋１＋２＋３＋２＋１＋２＋２＋２＋３＝２１ポイント」となる。したがって、試験対象６０Ｅには、例えば前述した第１ないし第３の実施形態による合計ポイントに、（１＋２＋３＋１）＋（３＋１＋２＋３＋２＋１＋２＋２＋２＋３）＝２８ポイントをさらに加算することができる。このことは、試験対象６０Ｆとする場合についても同様である。
【０１３８】
また、試験対象６０として、信号経路６１Ｅおよび信号経路６２Ｆを個別の抽出試験範囲５２として抽出可能である。
【０１３９】
なお、合計ポイントの算出方法は、積算に限らず、乗算、積算と乗算の組み合わせを用いることもできる。この試験対象６０ごとの合計ポイントについて、試験範囲抽出部１７が試験範囲判定基準ＤＢ１８に登録された試験範囲判定基準１８１を適用し、試験実施範囲を抽出する。試験範囲抽出部１７は、抽出した試験実施範囲を外部へ出力する。
【０１４０】
以上のように、第５の実施形態の試験実施範囲抽出装置１ｄは、試験対象６０にロジック構成要素間の信号経路を含め、かつ、他の試験対象６０の信号経路で前述の試験対象６０と信号を取り合う場合にも、ロジック構成要素間の信号経路上にポイントを付与し、試験対象６０ごとの合計ポイントを算出する。
【０１４１】
これにより、試験対象６０が複数の信号経路を有するロジック構成要素間、および、他の試験対象６０と前述の試験対象６０との信号経路における信号を取り合う場合にも、試験実施範囲として抽出することができる。
【０１４２】
第５の実施形態によれば、さらに、試験対象の信号経路と他の試験対象の信号経路とが信号の取り合うような信号経路も加味して、試験実施範囲を自動的に抽出することができる。
【０１４３】
［第６の実施形態］
図２４は、第６の実施形態に係る試験実施範囲抽出装置の構成を示すブロック図である。以下、この他にも、適宜、図２５ないし図２７も参照しながら第６の実施形態の試験実施範囲抽出装置について説明する。
【０１４４】
第６の実施形態の試験実施範囲抽出装置１ｅは、第１ないし第５の実施形態により抽出される試験実施範囲に対し、さらに、試験条件に基づいて試験実施範囲を自動的に抽出する。なお、図２４に示す試験実施範囲抽出装置１ｅは、例えば第４の実施形態の試験実施範囲抽出装置１ｄの構成に、後述する機能部を付加した構成例として説明する。
【０１４５】
試験実施範囲抽出装置１ｅは、図２４に示すように、図書入力部１１、信号経路抽出部１２、ポイント付与部１３、ポイント付与判定基準ＤＢ１４、試験範囲抽出部１７、試験範囲判定基準ＤＢ１８、試験条件抽出部１９および試験条件設定部２０を備える。
【０１４６】
図書入力部１１に、図書５１が入力される。試験条件設定部２０に、入力遷移状態５３が入力される。
【０１４７】
試験条件設定部２０は、試験対象６０のロジック構成要素の遷移状態を指定した試験遷移状態に関する情報（入力遷移状態５３）を入力する。試験条件設定部２０は、例えば試験対象６０Ｇなどの図書５１における入力遷移状態５３を外部から入力する。
【０１４８】
図２５に、一つの送風機Ａを試験対象とする図書５１に示されるロジック構成要素の一例を示す。また、図２６に、他の一つの送風機Ｂを試験対象とする図書５１に示されるロジック構成要素の一例を示す。図２７に、図２５および図２６のロジック構成要素の試験遷移状態を示す。
【０１４９】
試験実施範囲抽出装置１ｅには、例えば図２５に示される送風機Ａを試験対象６０Ｇおよび図２６に示される送風機Ｂを試験対象６０Ｈとする図書５１が入力され、入力遷移状態５３として図２７に示す試験条件に対応する試験遷移状態が入力されるとする。
【０１５０】
例えば、入力遷移状態５３として、試験遷移ステップ１（ＳＴＥＰ１）において「送風機Ａは入」、「送風機Ｂは手動」など、試験遷移ステップ２（ＳＴＥＰ２）において、「送風機Ａは切」、「送風機Ｂは手動」などの試験条件が入力される。
【０１５１】
試験遷移ステップごとの各スイッチ、入力信号の値などの入力遷移状態５３が、試験条件設定部２０を介して設定される。試験条件設定部２０は、入力遷移状態５３に応じて、例えば図２７に示す試験遷移ステップごとに、各スイッチ、入力信号の値を試験条件として設定する。
【０１５２】
試験条件設定部２０は、設定した試験条件を試験条件抽出部１９へ出力する。試験条件設定部２０は、例えば図２５および図２６に示す送風機ＡおよびＢのスイッチ（Ｚ−ＣＳ）における「入／手動／切」の状態や送風機選択のスイッチ（Ｚ−ＣＯＳ）における「Ａ運転・Ｂ予備／Ｂ運転・Ａ予備」の状態を変化させた場合の送風機ＡおよびＢの遷移状態を、試験条件として試験条件抽出部１９へ出力する。
【０１５３】
試験条件設定部２０により試験対象６０のロジック構成要素のいずれかを特定の遷移状態に設定する場合に、試験条件抽出部１９は、試験遷移状態に応じた他のロジック構成要素の遷移状態を特定する。試験条件抽出部１９は、試験範囲抽出部１７より出力される試験実施範囲と共に、試験実施範囲に含まれるロジック構成要素の遷移状態を抽出する。
【０１５４】
これにより、試験条件抽出部１９は、試験実施範囲と共に、試験条件に基づいた遷移状態を出力する。
【０１５５】
第６の実施形態によれば、抽出される試験実施範囲と共に、さらに、試験実施範囲について試験条件に基づいた遷移状態を自動的に抽出することができる。
【０１５６】
［他の実施形態］
以上、本発明のいくつかの実施形態を説明したが、これらの実施形態は、例として提示したものであり、発明の範囲を限定することは意図していない。例えば、各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１５７】
１ａ、１ｂ、１ｃ、１ｄ、１ｅ…試験実施範囲抽出装置、１１…図書入力部、１２…信号経路抽出部、１３…ポイント付与部、１４…ポイント付与判定基準ＤＢ（データベース）、１５…重要度付与部、１６…重要度付与判定基準ＤＢ（データベース）、１７…試験範囲抽出部、１８…試験範囲判定基準ＤＢ（データベース）、１９…試験条件抽出部、２０…試験条件設定部、５１…図書、５２…抽出試験範囲、５３…入力遷移状態、６０Ａ、６０Ｂ、６０Ｃ、６０Ｄ、６０Ｅ、６０Ｆ、６０Ｇ、６０Ｈ（６０）…試験対象、６１Ｄ、６２Ｄ、６１Ｅ、６１Ｆ…信号経路、１４２Ａ、１４２Ｂ、１４２Ｄ、１４２Ｅ…ポイント付与判定基準、１６１…重要度付与判定基準、１８１…試験範囲判定基準
【図１】
2015036823.tif 000003
【図２】
2015036823.tif 000004
【図３】
2015036823.tif 000005
【図４】
2015036823.tif 000006
【図５】
2015036823.tif 000007
【図６】
2015036823.tif 000008
【図７】
2015036823.tif 000009
【図８】
2015036823.tif 000010
【図９】
2015036823.tif 000011
【図１０】
2015036823.tif 000012
【図１１】
2015036823.tif 000013
【図１２】
2015036823.tif 000014
【図１３】
2015036823.tif 000015
【図１４】
2015036823.tif 000016
【図１５】
2015036823.tif 000017
【図１６】
2015036823.tif 000018
【図１７】
2015036823.tif 000019
【図１８】
2015036823.tif 000020
【図１９】
2015036823.tif 000021
【図２０】
2015036823.tif 000022
【図２１】
2015036823.tif 000023
【図２２】
2015036823.tif 000024
【図２３】
2015036823.tif 000025
【図２４】
2015036823.tif 000026
【図２５】
2015036823.tif 000027
【図２６】
2015036823.tif 000028
【図２７】
2015036823.tif 000029